(57)【要約】【課題】拡張ステップへの荷重の軽減によって経済性の向上を図れるようにする。【解決手段】走行機体に対してその側方で前後に間隔をあけた位置にそれぞれ取り付けられた予備苗載せ台支持用の一対の支柱８と、走行機体の運転ステップとは別体としてその側方に配置された拡張ステップＫと、を設けて構成され、拡張ステップＫは、一対の支柱８によって支持されている。【選択図】図５
2015208264.tif 000002
【特許請求の範囲】
【請求項１】
走行機体に対してその側方で前後に間隔をあけた位置にそれぞれ取り付けられた予備苗載せ台支持用の一対の支柱と、
前記走行機体の運転ステップとは別体としてその側方に配置された拡張ステップと、を設けて構成され、
前記拡張ステップは、前記一対の支柱によって支持されている乗用型田植機。
【請求項２】
前記拡張ステップは、前端部と前後中間部とを前記一対の支柱に取り付けてあると共に後端部を前記走行機体側に取り付けてあり、それぞれの取付部は、着脱自在に構成してある請求項１に記載の乗用型田植機。
【請求項３】
前記拡張ステップに備えたステップ表面板は、前記一対の支柱における後方の支柱の箇所を境にして前後に分割形成してある請求項２に記載の乗用型田植機。
【発明の詳細な説明】
【技術分野】
【０００１】
本発明は、走行機体の左右両側方に取り付けられた予備苗載せ台支持用支柱と、走行機体の運転ステップとは別体としてその左右両側方に配置された拡張ステップと、を備えた乗用型田植機に関する。
【背景技術】
【０００２】
従来、この種の乗用型田植機としては、予備苗載せ台支持用支柱は、前後に間隔をあけて立設された前支柱と後支柱とで構成され、拡張ステップは、運転ステップの側方で前後に細長い形状に形成され、前端部と後端部と前後中間部の三箇所で支持されているものがあった（例えば、特許文献１参照）。
【０００３】
更に詳しくは、予備苗載せ台支持用支柱の前記前支柱は、走行機体から側方に延出する延出部と、延出部の先端から上方に延びる支柱部とを一体に備えて構成され、支柱部の上端側に予備苗載せ台を取り付けて支持すると共に、支柱部の下端側に拡張ステップの前端部を取り付けて支持するように構成されている。
また、前記後支柱は、前支柱のような延出部を備えずに、拡張ステップの上に直接に取り付けられて、拡張ステップによって支持されている。
【０００４】
拡張ステップは、前述のとおり前端部を前支柱によって支持されると共に、後端部と前後中間部とは、それぞれ走行機体側に固定された支持腕部材によって支持されている。
【先行技術文献】
【特許文献】
【０００５】
【特許文献１】特開２０１３−２１５１２６号公報（図３）
【発明の概要】
【発明が解決しようとする課題】
【０００６】
上述した従来の乗用型田植機によれば、後支柱は、拡張ステップによって支持されているから、後支柱の重量や後支柱が支持する苗載せ台や苗の重量は、拡張ステップに作用することになる。
【０００７】
拡張ステップは、予備苗載せ台に苗が載置されていない状態であれば、本来的に支持すべき荷重（ステップの上面に作用する人の通行等の上載荷重）のみを支持できる強度を備えていればいい。しかし、後支柱に予備苗載せ台や苗が載置されると、強度不足に陥る虞があり、これを防止するためには、拡張ステップを充分に強化しておく必要がある。
その結果、部材コストが増加し、コストアップにつながる虞がある。
【０００８】
従って、本発明の目的は、上記問題点を解消し、拡張ステップへの荷重の軽減によって経済性の向上を図れる乗用型田植機を提供するところにある。
【課題を解決するための手段】
【０００９】
本発明の特徴は、走行機体に対してその側方で前後に間隔をあけた位置にそれぞれ取り付けられた予備苗載せ台支持用の一対の支柱と、前記走行機体の運転ステップとは別体としてその側方に配置された拡張ステップと、を設けて構成され、前記拡張ステップは、前記一対の支柱によって支持されているところにある。
【００１０】
本発明によれば、拡張ステップは、前後に間隔をあけてそれぞれ設けられた予備苗載せ台支持用の一対の支柱によって支持されているから、拡張ステップによって支柱の荷重を支持することが無くなり、荷重の軽減を図れるようになる。よって、拡張ステップは、本来的に支持すべき荷重（ステップの上面に作用する人の通行等の上載荷重）のみを支持できるように形成することが可能となる。
即ち、従来のように、拡張ステップを特別に強化する必要が無くなり、部材コストの低減によって、経済性の高い乗用型田植機を提供できるようになる。
【００１１】
本発明においては、前記拡張ステップは、前端部と前後中間部とを前記一対の支柱に取り付けてあると共に後端部を前記走行機体側に取り付けてあり、それぞれの取付部は、着脱自在に構成してあると好適である。
【００１２】
本構成によれば、拡張ステップは、前端部と前後中間部とを一対の支柱によって、且つ、後端部を走行機体側にそれぞれ支持されており、全体に良好なバランスで安定した取付状態に設置することができる。
【００１３】
また、各取付部が着脱自在に構成してあるから、拡張ステップのみを着脱することが可能となり、例えば、メンテナンスや部品交換等の作業を、拡張ステップを走行機体から取り外した状態で実施でき、より簡単に効率よくそれらの作業を行うことが可能となる。
また、乗用型田植機として拡張ステップを必要としない場合には、田植機本体の機構を変更することなく、拡張ステップのみを簡単に取り外すことができる。
【００１４】
本発明においては、前記拡張ステップに備えたステップ表面板は、前記一対の支柱における後方の支柱の箇所を境にして前後に分割形成してあると好適である。
【００１５】
本構成によれば、ステップ表面板を、一対の支柱における後方の支柱の箇所を境にして前後に分割しているから、分割した一つずつのステップ表面板の大きさをコンパクト化でき、部材の取扱性が良好となり、拡張ステップの組立工程の短縮化や、メンテナンス作業の効率化を図ることができる。
【００１６】
また、前記後方の支柱とステップ表面板との位置的な干渉によって、例えば、ステップ表面板を設置する時には、前記後方の支柱を位置決め部材として利用することで、正確な位置に迅速に設置することができる。
更には、ステップ表面板を設置した後においては、ステップ表面板が、前後方向に位置ずれするのを前記後方の支柱によって拘束することができ、ステップ表面板のズレ止めを、特別の部材を設けずにより確実に実施できる。
【００１７】
また、前後のステップ表面板それぞれの物性を、使用状況に合わせて個別に設定することができ、例えば、一方のステップ表面板を他方のものに比べて高強度のものにする等、無駄のない状態に構成することができる。
【図面の簡単な説明】
【００１８】
【図１】乗用型田植機の全体側面図である。
【図２】乗用型田植機の全体平面図である。
【図３】乗用型田植機の全体正面図である。
【図４】拡張ステップの取付け状況を示す要部の平面図である。
【図５】拡張ステップの取付け状況を示す要部の側面視断面図である。
【図６】拡張ステップの取付け状況を示す要部の分解斜視図である。
【図７】ボルト連結部を示す要部の平面図である。
【図８】ボルト連結部を示す要部の側面視断面図である。
【図９】別実施形態の拡張ステップの前端部を示す平面図
【図１０】別実施形態のマーカーの取付状態を示す要部側面図
【発明を実施するための形態】
【００１９】
図１に本発明に係る乗用型田植機の全体側面図が示され、また、図２にその全体平面図、図３に全体正面図が示されている。この乗用型田植機は、操向自在な左右一対の前輪１と操向不能な左右一対の後輪２とを備えた四輪駆動型の走行機体３の後部に、苗植付け装置４が、油圧シリンダ５によって駆動される四連リンク構造のリンク機構６を介して昇降自在に連結された基本構造を備え、かつ、走行機体３の後部に施肥装置７が装備されるとともに、走行機体３の前部左右に予備苗載せ台支持用の支柱８を介して予備苗載せ台Ｙが配備された構造となっている。
【００２０】
走行機体３には、前輪１を軸支したミッションケース９が配備され、このミッションケース９の後部左右に上下揺動可能に連結されたスイングケース１０の後端に前記後輪２が軸支されている。ミッションケース９から前方に延出された前フレーム１１に、図示されないエンジンをボンネット１２内に収容した原動部１３が装備され、エンジン動力がミッションケース９にベルト伝達されるようになっている。原動部１３の後部上方に前輪操向用のステアリングハンドル１４が配備されるとともに、走行機体３の後部に運転座席１５が設けられている。原動部１３と運転座席１５の間の足元に運転ステージ１６が配備されている（図１参照）。
【００２１】
苗植付け装置４は、苗を並列載置して設定ストロークで左右に往復移動される苗載せ台２１、苗載せ台２１の下端から１株分づつ苗を切り出して圃場に植付けてゆく回転式の植付け機構２２、植付け箇所を整地するよう左右に並列配備された整地フロート２３、等を備えて構成されており、ミッションケース９の後部から取り出された作業用動力が伸縮伝動軸２４を介して苗植付け装置４に伝達されるようになっている（図１参照）。
【００２２】
施肥装置７は、運転座席１５と苗植付け装置４との間において走行機体３上に搭載されており、粉粒状の肥料を貯留する肥料ホッパー２５、この肥料ホッパー２５内の肥料を設定量づつ繰り出す繰出し機構２６、繰り出された肥料を供給ホース２７を介して整地フロート２３に備えた作溝器２８に風力搬送する電動ブロワ２９などを備えている（図１参照）。
【００２３】
運転ステージ１６は、左右中央側のメイン領域（運転ステップに相当）１６Ａと、メイン領域１６Ａの後方に位置する後部領域１６Ｂと、メイン領域１６Ａの左右両横に位置して前後に細長い側部領域１６Ｃとを備えて構成されている（図２参照）。
【００２４】
メイン領域１６Ａは、金属板材をプレス加工して形成してあり、その前端部が原動部１３の左右まで延出されている。
後部領域１６Ｂは、運転座席１５の左右側で上方に隆起した状態に形成されている。
側部領域１６Ｃは、前輪１の上方に重複して配備されて、運転部足元を左右に拡張する拡張ステップＫとして、メイン領域１６Ａや後部領域１６Ｂとは別体に形成されている。
【００２５】
また、拡張ステップＫは、スノコ状に樹脂成形された表面材（ステップ表面板に相当）３２を備えて構成してあり、その前半部における平面形状は、その外側辺が前端側ほど機体内方に位置する先狭まり形状に形成されて、運転者が拡張ステップＫを通して前輪１の近傍を見通すことができるようになっている。
【００２６】
尚、表面材３２は、前後に二分割に形成してあり、前後の分割箇所は、前後に一対備えられた予備苗載せ台支持用の支柱８の内、後方側に配置されている後支柱（後方の支柱に相当）８Ｂの設置個所に設定されている。
表面材３２は、上述のように二分割に構成されているので、それぞれがコンパクトになり、分割してないものに比べて取扱性が向上している。
【００２７】
図４〜６に示すように、拡張ステップＫは、丸パイプ材からなる周枠３６の内側に表面材３２が配備されている。周枠３６は、先狭まり形状の拡張ステップＫの外縁に沿った形状で、前端部は、走行機体３の前端線に沿って左右中央側に屈曲した構造に形成してある。
【００２８】
表面材３２は、平面視において周枠３６の走行機体３幅方向中央側に間隔をあけて並設された前後支持枠３７Ａと、前後支持枠３７Ａと周枠３６とにわたると共に前後に間隔をあけて固着された複数の左右支持枠３７Ｂとで構成された支持枠３７に対して、着脱自在にネジ連結されている。尚、周枠３６は複数の支持枠３７の内の一部のものを介して、前記後方の支柱８Ｂや、走行機体３側の支持部材３１にボルトによって着脱自在に連結支持されている。
従って、拡張ステップＫの全体として安定した取付状態が確保されている。
【００２９】
当該実施形態の乗用型田植機においては、拡張ステップＫは、前端部が前方側に配置されている前支柱８Ａにボルト連結によって支持され、前後中間部が後方側に配置されている後支柱８Ｂにボルト連結によって支持され、後端部が走行機体３側に固着されている支持部材３１にボルト連結によって支持されている。また、周枠３６の延長された後端部も、別の位置で走行機体３側に固着されている支持部材３１にボルトによって取り付けられている。
これらボルトによる各取付部は、何れの箇所も、着脱可能な状態となっている。
【００３０】
拡張ステップＫの横外側の下方には、側面視の形状が略「Ｕ」字形状の乗降用ステップ４０が周枠３６に固着された状態に設けられている。また、拡張ステップＫの後方には、一段高い位置に補助ステップ４１が設けられている。この補助ステップ４１を利用することで、例えば、苗載せ台２１への苗の補給や施肥装置７への肥料供給を行う際に、運転者が上に足をおいて苗載せ台２１や施肥装置７等により近い位置に立って作業を行うことができる。
【００３１】
乗降用ステップ４０は、周枠３６の長手方向に間隔をあけて二か所に固着された側面視「Ｕ」字形状のステップ本体４０ｂと、ステップ本体４０ｂの下端部と走行機体３側の支持部材３１とにわたるサポート部４０ａとを備えて構成してある。
【００３２】
ステップ本体４０ｂは、下方側ほど走行機体３の横外方に位置する傾斜姿勢に固定されており、ステップ本体４０ｂに備えた踏み板部４０ｃが、拡張ステップＫより横外方に位置することで、地盤面から運転ステージ１６への乗降の際に、スムーズに且つ安定した状態で足を運ぶことができる（図３参照）。
【００３３】
補助ステップ４１は、図４、図６に示すように、平面視による形状は略矩形形状で、合成樹脂のブロー成形によって形成してある。
補助ステップ４１は、前柱４２と後柱４３とによって下面側を支持されている。
【００３４】
前柱４２は、丸パイプ材で構成してあり、図５に示すように、側面視で、上下中間部が後方に「く」字状に凹んだ形状に形成してある。この凹状部４２ｂは、補助ステップ４１の下方に入り込む状態に設けられている。また、前柱４２の上端部４２ａは、凹状部４２ｂの上端側から丸パイプ材が前方側に直線状に延出する状態に形成してある。前柱４２の下端部４２ｃは、周枠３６に固着されている最後尾の支持枠３７に固定されている。そして、この下端部４２ｃは、直線状に後方側に延出させてあり、その後方側に前記凹状部４２ｂが連なっている。
【００３５】
後柱４３は、図４〜図６に示すように、周枠３６の後部に同じ丸パイプ材を延出させて一体に形成してあり、後側の上方に傾斜して延出する傾斜部４３ｂと、傾斜部４３ｂの上端から走行機体３の左右方向での内側に屈曲してそのまま直線状に延びる上端部４３ａとを備えて構成されている。また、上端部４３ａの先端側は、走行機体３側に一体に設けられた支持部材３１の上に載置され、両者を上下に貫通するボルト３１ｂによって固定されている。
【００３６】
予備苗載せ台支持用の支柱８は、金属製の丸パイプ部材によって形成してあり、図１、図２に示すように、前後に間隔をあけて設置された前支柱８Ａと、後支柱８Ｂとを備えて構成されている。これら支柱８の対は、走行機体３の左右側部に、それぞれ設けられている（図２、図３参照）。
【００３７】
各支柱８は、走行機体３に対してその側方に延出する延出部８Ａａ，８Ｂａと、延出部８Ａａ，８Ｂａの先端から上方に立ち上がる支柱部８Ａｂ，８Ｂｂと、を備えて構成してあり、延出部８Ａａ，８Ｂａの基端部が、走行機体３に固定されている。固定は、例えば、ボルト、溶接等、公知の固定手段によって実施することができる。
【００３８】
また、支柱部８Ａｂ，８Ｂｂの立ち上がり平面位置は、拡張ステップＫの水平面内においては、何れも、拡張ステップＫの最大横幅範囲より内側に入った箇所に設定してあり、乗用型田植機の機体幅寸法を、より小さくして省スペース化が図られている（図４参照）。
従って、乗用型田植機の走行経路に隣接した低い位置に壁や塀等の構造体が位置しているような場合でも、その構造体の際まで乗用型田植機を接近させた状態で走行することが可能となり、植付け範囲をより広くすることができる。
【００３９】
また、前支柱８Ａと後支柱８Ｂとの、各支柱部８Ａｂ，８Ｂｂにわたる状態に、予備苗載せ台Ｙが着脱自在に取り付けてある（図１、図２参照）。
因みに、予備苗載せ台Ｙは、揺動支点Ｐを介して前後に折り畳み可能に構成してあり、且つ、前後に展開した状態で前後方向にスライド自在に構成されている。また、図３に示すように、前後軸心周りに揺動自在に構成してあり、側方に予備苗載せ台Ｙが張り出した使用状態と、上方に予備苗載せ台Ｙが揺動した退避状態とに切替自在に構成してある。
【００４０】
前支柱８Ａは、拡張ステップＫの前端側の先狭まり形状部分の側方に支柱部８Ａｂが立ち上がる状態に設置されている。当該実施形態の乗用型田植機においては、前支柱８Ａの延出部８Ａａは、拡張ステップＫの下方に位置する状態に設けられている（図３参照）。
【００４１】
また、拡張ステップＫの下方位置では、延出部８Ａａから上方に突出したフランジｆ１と、支持枠３７から下方に突出したフランジｆ２とが、前後に重なった状態でボルトによって連結されている。この構造によって、拡張ステップＫの前端部が前支柱８Ａによって支持されている。
【００４２】
後支柱８Ｂは、前支柱８Ａの後方側で、拡張ステップＫの幅内に支柱部８Ｂｂが立ち上がる状態に設置されている。即ち、拡張ステップＫ（運転ステージ１６）の側縁部より内側に立設されている。
前述のように、後支柱３Ｂは、前後の表面材３２の分割箇所で立ち上がっており、平面的には、前輪１の回転軸の上方側（側面視で前輪駆動ケース１ａとほぼ同じ箇所）に位置している（図１、図５参照）。
【００４３】
また、後支柱８Ｂの延出部８Ｂａは、図５、図８に示すように、拡張ステップＫの厚み範囲Ｋｈ内に、円形断面の上面ｔが位置する状態に配置されている。
この配置によって、拡張ステップＫの上面に延出部８Ｂａが突出しないから、拡張ステップＫ上を歩行する場合の障害とならない。更には、拡張ステップＫの下方側へ延出部８Ｂａが突出する量をより少なくできる。
【００４４】
その結果、前輪１の上面との隙間寸法を充分確保できるようになり、前輪１の回転に伴って車輪に付着して上昇してくる土が、この隙間に詰まり難くなり、スムーズな走行が可能となる（図５参照）。
また、車輪の沈み込みが大きな水田での走行において、延出部８Ｂａによる土の掻き乱しを、実質的に無くすことが可能となる。
【００４５】
後支柱８Ｂと拡張ステップＫとの連結はボルトによって実施してあり、このボルト連結部（取付部に相当）Ｊは、前側の表面材３２Ａの後端部を支持する左右支持枠３７Ｂと、後側の表面材３２Ｂの前端部を支持する左右支持枠３７Ｂとの間に設けられている。
【００４６】
図７、図８に示すように、ボルト連結部Ｊを挟んで前後に対向する左右支持枠３７Ｂの対応面に、対向方向に突出するフランジ３７ａがそれぞれ溶接によって固着してあり、これら両フランジ３７ａに対して、延出部８Ｂａの外周部に設けられたフランジ３０を重ねた状態で、両フランジ３７ａ，３０にボルト３０ｂを貫通させて一体連結してある。
【００４７】
即ち、ボルト連結部Ｊは、ボルト３０ｂの軸芯方向が、拡張ステップＫの横幅方向に沿うように形成してあり、走行機体３の側面側からボルト３０ｂの着脱操作を実施できるから、広い作業空間での着脱操作によって効率的に脱着・交換等の作業を実施できる。
【００４８】
また、拡張ステップＫは、ボルト連結部Ｊの設置個所においては、その横幅方向で、ボルト連結部Ｊと外側の周枠３６との両方で支持されているから、片持ち状態での支持構造に比べて、より安定した設置状態となっている。
【００４９】
〔別実施形態〕
以下に他の実施の形態を説明する。
【００５０】
〈１〉  拡張ステップＫは、先の実施形態で説明したものに限るものではなく、構造や材質の変更も適宜可能である。
例えば、拡張ステップＫのステップ表面材３２は、前後二分割の構成に限らず、三以上の複数分割であってもよく、更には、前後での分割に限らず、左右での分割であったり、前後左右での分割であってもよい。
また、分割されていない一体物でステップ表面材３２を構成してあってもよい。
また、前後一対の予備苗載せ台支持用の支柱８によって支持される位置は、拡張ステップＫの前端部と前後中間部とに限るものではなく、例えば、前後中間部の内の前後二箇所であったり、前端部と後端部とであったり、前後中間部と後端部であってもよい。
【００５１】
〈２〉  予備苗載せ台支持用の支柱８は、先の実施形態で説明したものに限るものではなく、例えば、後支柱８Ｂと前支柱８Ａとを備えたもの以外にも、他の支柱をも備えた構成であってもよい。
また、予備苗載せ台支持用の支柱８は、運転ステージ１６の側縁部より内側に立設されているものに限らず、運転ステージ１６の側縁部より外側に立設されていてもよい。
また、運転ステージ１６の側縁部より内側に立設されている場合、立設位置は、先の実施形態で説明したように、前後のステップ表面板３２間の分割箇所に限るものではなく、例えば、ステップ表面板３２に貫通孔や、切欠き等を形成して、その部分に立設するように予備苗載せ台支持用支柱８が設けられていてもよい。
【００５２】
〈３〉  予備苗載せ台支持用の支柱８は、拡張ステップＫのフレームと連結する場合、ボルト連結に限るものではなく、例えば、ピンや、溶接によって連結するものであったり、他の公知の連結手段によって構成するものであってもよい。
【００５３】
〈４〉  周枠３６は、図９に示すように、その前端部のパイプ切り口部分３６ａを、近接配置されている支持枠３７からパイプ切り口部分に延出した板状の延出蓋片部３７ｂによって塞ぐように構成されていてもよい。
この延出蓋片部３７ｂは、この延出蓋片部３７ｂが付いた支持枠３７を、周枠３６の所定位置に溶接等で固着するだけの手間で、パイプ切り口部分３６ａを塞ぐ位置にセットされ、例えば、ゴムキャップ等の部材を、わざわざパイプ切り口部分３６ａに取り付けるのに比べて手間がかからず、効率よくパイプ切り口部分３６ａの閉塞を行える。よって、水や泥が周枠３６のパイプ内へ入り難くできる。
【００５４】
〈５〉  周枠３６の前端側には、当該乗用型田植機の前角部等の位置を運転座席１５から視認し易くするマーカー３８が、縦軸心周りに搖動自在に取り付けてあってもよい（図９、図１０参照）。
このマーカー３８は、支持枠３７から周枠３６の下方を通過して外方側に突出した状態に設けられた一対の枢支フランジ３８ａと、枢支フランジ３８間に基端部を縦軸心周りに搖動自在に枢支された搖動棒状体３８ｂと、搖動棒状体３８ｂの先端部に上下に延びるマーカー本体３８ｃとを備えて構成してある。
【００５５】
マーカー３８の枢支部分が、周枠３６より下方に位置させてあるから、搖動棒状態３８ｂが周枠３６の下方に入り込む範囲にまで搖動操作することができる。
よって、マーカー３８の使用時には、周枠３６より外方に搖動棒状体３８ｂが位置するように搖動させたマーカーセッティング状態にすることができ、マーカー３８の収納時には、周枠３６の下方に搖動棒状体３８ｂが入り込むように搖動させたマーカー収納状態にすることができ、マーカー収納状態での省スペース化を図ることができる。
【００５６】
比較例として、搖動棒状体３８ｂが周枠３６と同じ高さに取り付けてあるものの場合は、搖動棒状体３８ｂを前方から乗用型田植機の横幅中央側に搖動させてマーカー収納状態にする際、周枠３６の側面に搖動棒状体３８ｂが当接するから、搖動範囲が狭くなって場所をとり易い。
【産業上の利用可能性】
【００５７】
当該乗用型田植機の発明は、走行機体の左右に三本以上の予備苗載せ台支持用の支柱を備えた乗用型田植機にも利用することができる。
【符号の説明】
【００５８】
３      走行機体
８      予備苗載せ台支持用の支柱
８Ｂ    後支柱（後方の支柱に相当）
１６Ａ  メイン領域（運転ステップに相当）
３２    表面材（ステップ表面板に相当）
Ｋ      拡張ステップ
【図１】
2015208264.tif 000003
【図２】
2015208264.tif 000004
【図３】
2015208264.tif 000005
【図４】
2015208264.tif 000006
【図５】
2015208264.tif 000007
【図６】
2015208264.tif 000008
【図７】
2015208264.tif 000009
【図８】
2015208264.tif 000010
【図９】
2015208264.tif 000011
【図１０】
2015208264.tif 000012